(57)【特許請求の範囲】
【請求項１】
エンジンの燃焼室の吸気側に接続される吸気ポートと、エンジンの燃焼室の排気側に接続される排気ポートと、前記吸気ポート及び前記排気ポートの前記燃焼室に臨む領域に設けられる環状のシートリングと、前記シートリングに接離する吸気バルブ及び排気バルブとを備え、
吸気ポートにおける前記吸気バルブの中心は、前記シートリングの内面の中心よりも前記排気ポート側へ偏心し、且つ、前記シートリングの内面の中心を通り前記燃焼室を構成するシリンダボアの内周壁の吸気側中心と排気側中心とを結ぶ吸排気中心線に平行な吸排気平行線を挟んでいずれかの側に偏心しており、
前記シートリングのスロート部は、前記吸気バルブの中心と前記シートリングの内面の中心とを結ぶ偏心方向線に沿って前記吸気バルブの中心の偏心側が他よりも相対的に深く形成された偏心吸気ポートを構成しており、
前記偏心吸気ポートにおける前記シートリングの軸心方向に沿う平面視において、前記シートリングの内面の上流側に連続する前記吸気ポートの内面により形成される流路の断面積が、前記シートリングの内面により形成される流路の断面積よりも小さく設定されており、
前記吸気ポートを複数備え、複数の前記吸気ポートが前記偏心吸気ポートとなっており、各偏心吸気ポートにおける前記吸気バルブの中心は、対応するそれぞれの前記吸排気平行線を挟んで同一の側に偏心しているエンジンの吸気ポート構造。
【請求項２】
複数の前記偏心吸気ポートのうち、前記吸気バルブの中心がシリンダボアの軸心から遠い一方側の前記偏心吸気ポートにおける前記偏心方向線と前記吸排気平行線との成す角度が、他方側の前記偏心吸気ポートにおける前記偏心方向線と前記吸排気平行線との成す角度よりも小さく設定されている
請求項１に記載のエンジンの吸気ポート構造。
【請求項３】
エンジンの燃焼室の吸気側に接続される吸気ポートと、エンジンの燃焼室の排気側に接続される排気ポートと、前記吸気ポート及び前記排気ポートの前記燃焼室に臨む領域に設けられる環状のシートリングと、前記シートリングに接離する吸気バルブ及び排気バルブとを備え、
吸気ポートにおける前記吸気バルブの中心は、前記シートリングの内面の中心よりも前記排気ポート側へ偏心し、且つ、前記シートリングの内面の中心を通り前記燃焼室を構成するシリンダボアの内周壁の吸気側中心と排気側中心とを結ぶ吸排気中心線に平行な吸排気平行線を挟んでいずれかの側に偏心しており、
前記シートリングのスロート部は、前記吸気バルブの中心と前記シートリングの内面の中心とを結ぶ偏心方向線に沿って前記吸気バルブの中心の偏心側が他よりも相対的に深く形成された偏心吸気ポートを構成しており、
前記偏心吸気ポートにおける前記シートリングの軸心方向に沿う平面視において、前記シートリングの内面の上流側に連続する前記吸気ポートの内面により形成される流路の断面積が、前記シートリングの内面により形成される流路の断面積よりも小さく設定されており、
前記偏心吸気ポートにおける前記シートリングの内面の上流側に連続する前記吸気ポートの内面は、前記偏心方向線に沿ってシリンダボアの軸心に近い前端側と前記偏心方向線に沿ってシリンダボアの軸心から遠い後端側とを結ぶ前後方向への最大径が、それに直交する幅方向への最大径よりも大きく設定されるエンジンの吸気ポート構造。
【請求項４】
前記偏心吸気ポートにおける前記シートリングの内面の上流側に連続する前記吸気ポートの内面は、前記シートリングの軸心方向に沿う平面視において、前記偏心方向線に沿ってシリンダボアの軸心から遠い後端側に前記シートリングの内面と面一な内面一致部を備え、他のいずれかの部分に前記シートリングの内面よりも内側に突出する張り出し部を備え、前記張り出し部のある箇所の流路の断面積を前記シートリングの流路の断面積よりも小さくした
請求項１から３の何れか１項に記載のエンジンの吸気ポート構造。
【請求項５】
エンジンの燃焼室の吸気側に接続される吸気ポートと、エンジンの燃焼室の排気側に接続される排気ポートと、前記吸気ポート及び前記排気ポートの前記燃焼室に臨む領域に設けられる環状のシートリングと、前記シートリングに接離する吸気バルブ及び排気バルブとを備え、
吸気ポートにおける前記吸気バルブの中心は、前記シートリングの内面の中心よりも前記排気ポート側へ偏心し、且つ、前記シートリングの内面の中心を通り前記燃焼室を構成するシリンダボアの内周壁の吸気側中心と排気側中心とを結ぶ吸排気中心線に平行な吸排気平行線を挟んでいずれかの側に偏心しており、
前記シートリングのスロート部は、前記吸気バルブの中心と前記シートリングの内面の中心とを結ぶ偏心方向線に沿って前記吸気バルブの中心の偏心側が他よりも相対的に深く形成された偏心吸気ポートを構成しており、
前記偏心吸気ポートにおける前記シートリングの軸心方向に沿う平面視において、前記シートリングの内面の上流側に連続する前記吸気ポートの内面により形成される流路の断面積が、前記シートリングの内面により形成される流路の断面積よりも小さく設定されており、
前記偏心吸気ポートにおける前記シートリングの内面の上流側に連続する前記吸気ポートの内面は、前記シートリングの軸心方向に沿う平面視において、前記偏心方向線に沿ってシリンダボアの軸心から遠い後端側に前記シートリングの内面と面一な内面一致部を備え、他のいずれかの部分に前記シートリングの内面よりも内側に突出する張り出し部を備え、前記張り出し部のある箇所の流路の断面積を前記シートリングの流路の断面積よりも小さくしたエンジンの吸気ポート構造。
【請求項６】
複数の前記偏心吸気ポートのうち、前記吸気バルブの中心がシリンダボアの軸心から遠い一方側の前記偏心吸気ポートにおける前記シートリングの内面の上流側に連続する前記吸気ポートの内面は、前記シートリングの軸心方向に沿う平面視において、前記偏心方向線に沿ってシリンダボアの軸心から遠い後端側に前記シートリングの内面と面一な内面一致部を備え、前記偏心方向線に沿ってシリンダボアの軸心に近い前端側に前記シートリングの内面よりも内側に突出する張り出し部を備え、前記張り出し部のある箇所の流路の断面積を前記シートリングの流路の断面積よりも小さくし、
他方側の前記偏心吸気ポートにおける前記シートリングの内面の上流側に連続する前記吸気ポートの内面は、前記シートリングの軸心方向に沿う平面視において、前記偏心方向線に沿ってシリンダボアの軸心に近い前端側に前記シートリングの内面と面一な内面一致部を備え、前記偏心方向線に沿ってシリンダボアの軸心から遠い後端側に前記シートリングの内面よりも内側に突出する張り出し部を備え、前記張り出し部のある箇所の流路の断面積を前記シートリングの流路の断面積よりも小さくした
請求項１又は２に記載のエンジンの吸気ポート構造。
【発明の詳細な説明】
【技術分野】
【０００１】
本発明は、燃焼室内の吸気のスワール流を強化させるエンジンの吸気ポート構造に関する。
【背景技術】
【０００２】
エンジンの燃焼室内に、その燃焼室の内周壁に沿う円弧方向の吸気の流れ、所謂、スワール流を発生させる種々のエンジンが提案されている。燃焼室内にスワール流が発生することにより、燃焼室内における吸気の乱れが誘発され、所定の条件下で燃焼速度の向上やノッキングの抑制が図られるといわれている。
【０００３】
スワール流を発生させるために、バルブの動作を、複数の吸気バルブ及び排気バルブの全てを開閉する通常開閉モードと、複数の吸気バルブ及び排気バルブのうち一部を開閉して、燃焼室内の吸気にスワール流を発生させる部分開閉モードとに切り換え可能とするものがある。また、スワール流を発生させるために、燃焼室に通じる吸気通路内に、吸気流制御弁を設けたものもある。
【０００４】
また、特許文献１，２では、燃焼室内の吸気のスワール流を強化するために、吸気ポートの燃焼室への開口部に設けられるシートリングの形状を、その外径中心に対して内径中心を偏心させたり、あるいは、スワール流の流れ方向に沿って燃焼室側へ徐々に拡がるテーパー状にする手法を採用している。
【先行技術文献】
【特許文献】
【０００５】
【特許文献１】特開平１０−１９５８９６号公報
【特許文献２】実開平５−７５４５３号公報
【発明の概要】
【発明が解決しようとする課題】
【０００６】
上記のように、燃料室内の吸気にスワール流を強化することは、燃焼速度の向上やノッキングの低減に有効である。
【０００７】
しかし、吸気ポートから燃焼室への吸気の流入方向は、燃焼室の筒軸を挟んで吸気側と排気側とを結ぶ方向に平行な方向を基本とする。この流入方向は、通常、エンジンのシリンダの平面視において、クランクシャフトの軸心方向に直交する方向でもある。このため、燃焼室内に生じさせるべきスワール流の方向、すなわち、燃焼室の内周壁に沿う円弧方向と、燃焼室への吸気の流入方向とは、互いに異なる方向となっている。スワール流を強化するためには、このスワール流の円弧方向と吸気の流入方向とが、互いに近いことが望ましい。
【０００８】
ここで、スワール流を強化するために、吸気通路内に種々の弁装置やノズルを追加する手法を採用することも可能である。しかし、このような装置を追加することは、エンジンの構造の複雑化やコストの増大につながるので限界がある。
【０００９】
一方、特許文献１，２のように、シートリングの形状を工夫することは、スワール流の強化には有効である。しかし、燃焼速度の向上やノッキングの低減効果をさらに高めるためには、なお改善の余地がある。
【００１０】
そこで、この発明の課題は、エンジンの構造を複雑にすることなく、燃料室内のスワール流を強化することである。
【課題を解決するための手段】
【００１１】
上記の課題を解決するために、この発明は、エンジンの燃焼室の吸気側に接続される吸気ポートと、エンジンの燃焼室の排気側に接続される排気ポートと、前記吸気ポート及び前記排気ポートの前記燃焼室に臨む領域に設けられる環状のシートリングと、前記シートリングに接離する吸気バルブ及び排気バルブとを備え、吸気ポートにおける前記吸気バルブの中心は、前記シートリングの内面の中心よりも前記排気ポート側へ偏心し、且つ、前記シートリングの内面の中心を通り前記燃焼室を構成するシリンダボアの内周壁の吸気側中心と排気側中心とを結ぶ吸排気中心線に平行な吸排気平行線を挟んでいずれかの側に偏心しており、前記シートリングのスロート部は、前記吸気バルブの中心と前記シートリングの内面の中心とを結ぶ偏心方向線に沿って前記吸気バルブの中心の偏心側が他よりも相対的に深く形成された偏心吸気ポートを構成しており、前記偏心吸気ポートにおける前記シートリングの軸心方向に沿う平面視において、前記シートリングの内面の上流側に連続する前記吸気ポートの内面により形成される流路の断面積が、前記シートリングの内面により形成される流路の断面積よりも小さく設定されているエンジンの吸気ポート構造を採用した。
【００１２】
ここで、前記吸気ポートを複数備え、複数の前記吸気ポートが前記偏心吸気ポートとなっており、各偏心吸気ポートにおける前記吸気バルブの中心は、対応するそれぞれの前記吸排気平行線を挟んで同一の側に偏心している構成を採用することができる。
【００１３】
さらに、複数の前記偏心吸気ポートのうち、前記吸気バルブの中心がシリンダボアの軸心から遠い一方側の前記偏心吸気ポートにおける前記偏心方向線と前記吸排気平行線との成す角度が、他方側の前記偏心吸気ポートにおける前記偏心方向線と前記吸排気平行線との成す角度よりも小さく設定されている構成を採用することができる。
【００１４】
これらの各構成において、前記偏心吸気ポートにおける前記シートリングの内面の上流側に連続する前記吸気ポートの内面は、前記シートリングの軸心方向に沿う平面視において、前記偏心方向線に沿ってシリンダボアの軸心から遠い後端側に前記シートリングの内面と面一な内面一致部を備え、他のいずれかの部分に前記シートリングの内面よりも内側に突出する張り出し部を備え、前記張り出し部のある箇所の流路の断面積を前記シートリングの流路の断面積よりも小さくした構成を採用することができる。
【００１５】
複数の前記偏心吸気ポートを備えた構成において、その複数の前記偏心吸気ポートのうち、前記吸気バルブの中心がシリンダボアの軸心から遠い一方側の前記偏心吸気ポートにおける前記シートリングの内面の上流側に連続する前記吸気ポートの内面は、前記シートリングの軸心方向に沿う平面視において、前記偏心方向線に沿ってシリンダボアの軸心から遠い後端側に前記シートリングの内面と面一な内面一致部を備え、前記偏心方向線に沿ってシリンダボアの軸心に近い前端側に前記シートリングの内面よりも内側に突出する張り出し部を備え、前記張り出し部のある箇所の流路の断面積を前記シートリングの流路の断面積よりも小さくし、他方側の前記偏心吸気ポートにおける前記シートリングの内面の上流側に連続する前記吸気ポートの内面は、前記シートリングの軸心方向に沿う平面視において、前記偏心方向線に沿ってシリンダボアの軸心に近い前端側に前記シートリングの内面と面一な内面一致部を備え、前記偏心方向線に沿ってシリンダボアの軸心から遠い後端側に前記シートリングの内面よりも内側に突出する張り出し部を備え、前記張り出し部のある箇所の流路の断面積を前記シートリングの流路の断面積よりも小さくした構成を採用することができる。
【００１６】
これらの各構成において、前記偏心吸気ポートにおける前記シートリングの内面の上流側に連続する前記吸気ポートの内面は、前記偏心方向線に沿ってシリンダボアの軸心に近い前端側と前記偏心方向線に沿ってシリンダボアの軸心から遠い後端側とを結ぶ前後方向への最大径が、それに直交する幅方向への最大径よりも大きく設定される構成を採用することができる。
【発明の効果】
【００１７】
この発明は、吸気ポートにおける吸気バルブの中心を、シートリングの内面の中心よりも排気ポート側へ偏心させ、且つ、シートリングの内面の中心を通りシリンダボアの内周壁の吸気側中心と排気側中心とを結ぶ吸排気中心線に平行な吸排気平行線を挟んでいずれかの側に偏心させ、シートリングのスロート部の深さが、吸気バルブの中心の偏心側が他よりも相対的に深く形成された偏心吸気ポートを構成した。さらに、その偏心吸気ポートでは、シートリングの内面の上流側に連続する吸気ポートの内面により形成される流路の断面積が、シートリングの内面により形成される流路の断面積よりも小さくなるように設定した。この構成により、偏心吸気ポートにおいて燃焼室に導入される吸気のスワール方向への流れを促進し、燃料室内のスワール流を強化することができる。すなわち、エンジンの構造を複雑にすることなく、燃料室内のスワール流を強化することができる。
【図面の簡単な説明】
【００１８】
【図１】この発明の一実施形態を示し、燃焼室及び吸気ポートの要部拡大平面図である。
【図２】同実施形態の燃焼室及び吸気ポートの要部平面図である。
【図３】同実施形態を示す吸気ポートの要部拡大図である。
【図４】（ａ）（ｂ）は吸気ポートの加工方法を示す説明図である。
【図５】他の実施形態を示す吸気ポートの要部拡大図である。
【図６】さらに他の実施形態を示す吸気ポートの要部拡大図である。
【図７】（ａ）（ｂ）は、さらに他の実施形態を示す吸気ポートの要部拡大図である。
【図８】（ａ）はエンジンの内部を模式的に示す縦断面図、（ｂ）は吸気ポートの正面断面図である。
【発明を実施するための形態】
【００１９】
この発明の実施形態を、図面に基づいて説明する。エンジンの燃焼室３の配置と吸気ポート５の形状を図１及び図２に示す。また、シリンダ１の全体と吸気ポート５の詳細を図８に示す。
【００２０】
これらの図面では、この発明に直接関係する部材、手段を中心に示し、他の部材等については図示省略している。また、図面では、一つのシリンダ１のみを示しているが、エンジンは単気筒であってもよいし、複数のシリンダを備えた多気筒であってもよい。
【００２１】
この実施形態のエンジンは自動車用の４サイクルガソリンエンジンである。エンジンのシリンダ１内にはピストン２が収容されている。シリンダボアの内周壁３ａ、及び、ピストン２の上面等により燃焼室３が形成されている。各シリンダの燃焼室３内に吸気を送り込む吸気ポート５、燃焼室３から引き出された排気ポート７、燃焼室３内へ燃料を噴射する燃料噴射装置９等を備えている。また、燃焼室３の頂部には、点火装置を備えている。
【００２２】
この実施形態のエンジンは４バルブ形式のエンジンであり、燃焼室３の吸気側に接続される二つの吸気ポート５と、燃焼室３の排気側に接続される二つの排気ポート７とを備える。図２に示すように、吸気ポート５は、燃焼室３の手前で２つの通路に分岐している。また、図示していないが、排気ポート７も、燃焼室３の手前で２つの通路に分岐している。
【００２３】
ただし、吸気ポート５や排気ポート７の数は仕様に応じて自由に設定できる。吸気ポート５や排気ポート７の数は、例えば、それぞれ一つであっても、二つであっても、それ以上であってもよい。
【００２４】
各吸気ポート５の燃焼室３への開口部である吸気弁孔５ａは、吸気バルブ６によって開閉される。また、各排気ポート７の燃焼室３への開口部である排気弁孔７ａは、排気バルブ８によって開閉される。このとき、吸気バルブ６及び排気バルブ８は、それぞれ吸気ポート５、排気ポート７の燃焼室３に臨む領域に設けられる環状のシートリング２０に接離する。
【００２５】
これらの吸気バルブ６及び排気バルブ８は、シリンダヘッド４側に設けたカムシャフトの回転によって、所定のタイミングで吸気弁孔５ａ、排気弁孔７ａを開閉する。吸気バルブ６及び排気バルブ８の軸部は、吸気ポート５、排気ポート７の内面に開口する軸挿通部から、シリンダヘッド４内のカムシャフト側へ引き出されている。吸気ポート５の軸挿通部５ｂは、図８（ｂ）に示すように、吸気ポート５における吸気弁孔５ａの上流側に位置する屈曲部５ｃ、又は、その屈曲部５ｃのすぐ上流側に開口している。
【００２６】
シートリング２０は、図１及び図３に示すように、吸気バルブ６が当接するように奥部側から燃焼室側に向かって拡がるバルブ当接部２１と、そのバルブ当接部２１よりも奥部側に設けられ、奥部側からバルブ当接部２１側に向かって拡がるスロート部２２とを備える。
【００２７】
２つの吸気ポート５における各吸気バルブ６の中心ｏ２（中心線ｐ２）は、シートリング２０の流路の内面２４の中心ｏ１（中心線ｐ１）よりも排気ポート７側へ偏心している。且つ、２つの吸気ポート５における各吸気バルブ６の中心ｏ２（中心線ｐ２）は、シートリング２０の流路の内面の中心ｏ１（中心線ｐ１）を通り燃焼室３を構成するシリンダボアの内周壁３ａの吸気側中心Ｄと排気側中心Ｅとを結ぶ吸排気中心線Ａに平行な吸排気平行線Ｅ１、Ｅ２を挟んで同一の側に偏心している。図１では、各吸気バルブ６の中心ｏ２は、それぞれ、シートリング２０の流路の内面の中心ｏ１を通る吸排気平行線Ｅ１、Ｅ２を挟んで、同一の側である上側に偏心している。
【００２８】
ここで、吸排気中心線Ａとは、燃焼室３の平面視において、シリンダボアの内周壁３ａの吸気側中心Ｄと排気側中心Ｃとを結ぶ線である。ここで、吸気側中心Ｄとは、二つの吸気弁孔５ａにおける流路の内面２４の中心ｏ１間の中点、排気側中心Ｃとは二つの排気弁孔７ａにおける流路の内面の中心間の中点である。すなわち、吸排気中心線Ａは、吸気ポート５の平面視における幅Ｗ（図２参照）に対する中心線である幅方向中心線が伸びる方向、すなわち、燃焼室３を構成するシリンダボアの軸心ｘを挟んで吸気側と排気側とを結ぶ方向であり、平面視において、エンジンのクランクシャフトの軸心方向Ｂに直交する方向でもある。
【００２９】
このような中心同士における距離ｗ（図１参照）の偏心により、シートリング２０のスロート部２２が、吸気バルブ６の中心ｏ２と、シートリング２０の流路の内面の中心ｏ１とを結ぶ偏心方向線Ｆ１、Ｆ２に沿って、シリンダボアの軸心ｘに近い前端側、すなわち、吸気バルブ６の中心ｏ２が偏心する側（偏心側）が、他よりも相対的に深く形成された偏心吸気ポートを構成している。
【００３０】
ここで、この実施形態では、二つの吸気ポート５の両方が、偏心吸気ポートとなっている。また、前述のように、各偏心吸気ポートにおける吸気バルブ６の中心ｏ２は、対応するそれぞれの吸排気平行線Ｅ１、Ｅ２を挟んで同一の側である一方側に偏心している。このような同方向への二つの偏心吸気ポートの採用により、偏心方向線Ｆ１、Ｆ２に沿う吸気の流れを強化し、スワール流の円弧方向と吸気ポート５からの吸気の流入方向とを互いに近づけることができる。これにより、燃焼室３内の吸気のスワール方向への流れを促進し、燃料室３内のスワール流を強化することができる。なお、偏心吸気ポートは、各シリンダ１が備える吸気ポート５のうち一部であってもよいし、全部であってもよい。吸気ポート５を一つだけ備える場合は、その一つの吸気ポートを偏心吸気ポートとする。
【００３１】
また、この実施形態では、二つの偏心吸気ポートのうち、図１の上側に示す相対的にスワール流の下流側に位置する一方側の偏心吸気ポートにおける偏心方向線Ｆ１と吸排気平行線Ｅ１との成す角度α１が、下側に示す相対的にスワール流の上流側に位置する他方側の偏心吸気ポートにおける偏心方向線Ｆ２と吸排気平行線Ｅ２との成す角度α２よりも小さく設定されている。このため、図中下側に示す上流側の吸気弁孔５ａからの吸気の流れｔが、図中上側に示す下流側の吸気弁孔５ａからの吸気の流れｓを阻害しにくいようになっている。吸気バルブ６の中心ｏ２がシリンダボアの軸心ｘから遠い一方側、すなわち、下流側（図２の上側）の吸気弁孔５ａからの吸気の流れｓが、吸気バルブ６の中心ｏ２がシリンダボアの軸心ｘに近い他方側、すなわち、上流側（図２の下側）の吸気弁孔５ａからの吸気の流れｔよりも、燃焼室３内のスワール流ｕの形成に大きく影響するからである。すなわち、α1＜α2とし、図中の流れｓとｔをより上流側で合流させることが、スワール流ｕを強化する上で有効である。
【００３２】
ここで、一方側の偏心吸気ポートからの吸気が生じさせるスワール流の流れを大きく乱さない限りにおいて、角度α１を角度α２と等しくしたり、あるいは、逆に角度α１を角度α２よりも大きくした態様も考えられる。
【００３３】
スロート部２２の加工は、つぎのようにして行う。加工前のシートリング２０は、吸気ポート５の燃焼室３へ臨む部分に予め圧入されて、その吸気ポート５に固定されているものとする。
【００３４】
図４（ａ）に示すように、スロートカッタＡを吸気バルブ６の中心線ｐ２に一致する軸心に沿って吸気ポート５内へ所定量進入させる。スロートカッタＡを中心線ｐ２周りに回転させることにより、シートリング２０の内面の削り加工を行う。スロート部２２は、仕様によっては、シートリング２０の内面から吸気ポート５の内面に亘って連続的に加工される場合もある。スロートカッタＡの加工により、シートリング２０の内面、又は、シートリング２０の内面と吸気ポート５の内面に、円錐面又は球面等からなるスロート部２２を形成する。
【００３５】
バルブ当接部２１の加工は、つぎのようにして行う。スロートカッタＡを取り外した後、図４（ｂ）に示すように、シートカッタＢを吸気バルブ６の中心線ｐ２に一致する軸心に沿ってシートリング２０内へ所定量進入させる。シートカッタＢを中心線ｐ２周りに回転させることにより、シートリング２０の内面の削り加工を行う。シートカッタＢの加工により、シートリング２０の内面に、円錐面又は球面等からなるバルブ当接部２１を形成する。
【００３６】
なお、スロート部２２がバルブ当接部２１よりも先に加工される場合もあるし、バルブ当接部２１がスロート部２２よりも先に加工される場合もある。
【００３７】
図３に、吸気ポート５及びシートリング２０の詳細を示す。図３に示す符号ｒ１は、シートリング２０の流路の半径を示す。符号ｏ１は、シートリング中心（シートリング２０の流路の内面２４の中心）を示す。また、図中の符号ｒ２は、バルブ当接部２１の最外径部の半径を示す。符号ｏ２は、バルブ中心（吸気バルブ６の軸部の中心）を示す。符号ｔ０は、シートリング２０の外面２３から、スロート部２２及びバルブ当接部２１を除く部分の流路の内面２４に至る、シートリング２０の半径方向への肉厚である。この実施形態では、肉厚ｔ０は、全周に亘って一定である。
【００３８】
このように、シートリング２０が、吸気バルブ６が当接するバルブ当接部２１と、そのバルブ当接部２１よりも奥部側にスロート部２２とを備えた吸気ポート構造において、吸気バルブ６の中心線ｐ１を、シートリング２０の流路の中心線ｐ２に対して、偏心方向線Ｆ１、Ｆ２に沿って前端側に偏心して配置したので、スロート部２２は、偏心方向線Ｆ１、Ｆ２に沿って排気側へ、すなわち、偏心方向線Ｆ１、Ｆ２に沿ってシリンダボアの軸心ｘに近い前端側の方が、偏心方向線Ｆ１、Ｆ２に沿ってシリンダボアの軸心ｘから遠い後端側を含む他の部位よりも、奥部側へ深く形成することができる。
【００３９】
図３において、符号Ｌ２１ａは、前端側におけるバルブ当接部２１の深さ（母線方向の長さ。以下同じ。）である。符号Ｌ２１ｂは、後端側におけるバルブ当接部２１の深さである。バルブ当接部２１の深さは、吸気バルブ６との接触圧を全周に亘って均一とするため、この実施形態のように、Ｌ２１ａ＝Ｌ２１ｂの関係となっていることが望ましい。
【００４０】
また、符号Ｌ２２ａは、前端側におけるスロート部２２の深さ（母線方向の長さ。以下同じ。）である。符号Ｌ２２ｂは、後端側におけるスロート部２２の深さである。スロート部２２の深さは、Ｌ２２ａ＞Ｌ２２ｂの関係となっていることが望ましい。
【００４１】
スロート部２２をこのような形状としたことにより、偏心方向線Ｆ１、Ｆ２に沿って前端側において、吸気をスムーズに燃焼室３の内周壁３ａに沿うスワール流の方向へ誘導すること、また、偏心方向線Ｆ１、Ｆ２に沿って後端側において、吸気ポート５の内面からの吸気の剥離を抑制することで、タンブル比を向上させることができる。このため、構造を複雑にすることなく、燃料室３内の吸気の乱れを強化することができる。
【００４２】
また、吸気バルブ６の中心線ｐ２を、シートリング２０の流路の中心線ｐ１に対して、偏心方向線Ｆ１、Ｆ２に沿って前端側に偏心して配置したので、スロート部２２とバルブ当接部２１を加工するスロートカッタＡ、シートカッタＢを、吸気バルブ６の中心線ｐ２と同軸に配置した状態で施工でき、その作業を容易で高精度なものとできる。
【００４３】
また、図３に示すように、シートリング２０の内面の上流側に連続する吸気ポート５の内面（以下、シートリング上流部３０と称する。）は、燃焼室３側からの下面視、すなわち、燃焼室３側からのシートリング２０の軸心方向、すなわち、流路の内面２４の中心線ｐ２方向に沿う平面視において、偏心方向線Ｆ１、Ｆ２に沿って後端側に、シートリング２０の内面と面一な内面一致部３２を備える。この実施形態では、図中の後端部３１ｄが内面一致部３２に相当する。
【００４４】
また、シートリング上流部３０のうち他の部分、すなわち、前記平面視において、偏心方向線Ｆ１、Ｆ２に沿って前端側と、その前端側と後端側とを結ぶ両側の側方部に、シートリング２０の内面よりも内側に突出する張り出し部３１を備える。この実施形態では、図３の前端部３１ｃと側方部３１ａ、３１ｂが、張り出し部３１に相当する。そして、シートリング上流部３０の断面形状は、前端部３１ｃと後端部３１ｄとの間を結ぶ前後方向への最大径が、それに直交する幅方向への最大径よりも大きく設定された、いわゆるオーバル形状となっている。
【００４５】
この張り出し部３１によって、シートリング上流部３０の流路の断面積は、シートリング２０の流路の断面積よりも小さくなる。これにより、吸気の燃焼室３内への流速をさらに高め、速やかに吸気を偏心方向線Ｆ１、Ｆ２に沿う方向への誘導することができる。
【００４６】
ここで、シートリング上流部３０のうち、シリンダボアの軸心ｘから遠い後端部３１ｄには張り出し部３１を設けていない。張り出し部３１は、その後端部３１ｄを除く箇所に設けられる。これにより、燃焼室３の内面３ａに近い側での吸気の流量を確保しつつ、他の部分、すなわち、張り出し部３１を設けた側において流路を狭くして吸気の流速を高めることができ、後端部３１ｄでの流量確保と、それ以外の側での流速向上を可能としている。
【００４７】
ここで、シートリング上流部３０、すなわち、シートリング２０の内面の上流側に連続する吸気ポート５の内面とは、鋳物等の金属で構成される吸気ポート５の内面のうち、シートリング２０の直上に位置する部分を意味する。また、張り出し部３１とは、吸気ポート５内の流路の断面積を縮小するために設けられるものである。
このため、吸気バルブ６の軸部を支持する軸挿通部５ｂは、吸気ポート５の内面に突出する部分を有していても、それは張り出し部３１に該当しない。シートリング上流部３０は、軸挿通部５ｂよりも燃焼室３側にあり、シートリング２０の直上部分である。また、屈曲部５ｃの内面が、前記平面視において、シートリング２０の内面から内側に見えていても、その屈曲部５ｃの内面は流路の断面積を縮小するためのものではないので、張り出し部３１には該当しない。シートリング上流部３０は、吸気ポート５の流路の断面積が、燃焼室３に向かって徐々に拡がる部分でもある。
【００４８】
なお、張り出し部３１の位置や形状の異なる変形例としては、例えば、前記平面視において、後端部３１ｄと前端部３１ｃ側に内面一致部３２を備え、両側の側方部３１ａ、３１ｂに張り出し部３１を備えた構成も採用できる。また、両方の側方部３１ａ、３１ｂのうち、いずれか一方の側方部にのみ張り出し部３１を設け、他方の側方部は内面一致部３２としてもよい。
【００４９】
いずれの場合も、シートリング上流部３０に張り出し部３１を設ける場合、シートリング上流部３０の断面形状は、吸気バルブ６の中心線ｐ２とシートリング２０の流路の中心線ｐ１との偏心方向への内径、すなわち、前端側と後端側とを結ぶ前後方向への最大径が、両側の側方部間を結ぶ幅方向の最大径に対して大きく設定された形状であることが望ましい。
【００５０】
シートリング上流部３０を含む吸気ポート５は、鋳造によりシリンダヘッド４とともに製作される。シートリング上流部３０の断面形状は、張り出し部３１と内面一致部３２とが介在することにより真円ではないので、鋳造時の鋳物の型をこのような形状とするか、あるいは、鋳造後の部材を三次元マシニングセンタ等で切削加工する。
【００５１】
スロートカッタＡでの加工の際は、シートリング２０の削り加工と同時に、シートリング上流部３０を削り加工して、相互に滑らかな面で接続することが望ましい。シートリング上流部３０とシートリング２０の内面とが滑らかに接続されている場合は、スロートカッタＡでの加工をシートリング２０のみとしてもよい。
【００５２】
また、この実施形態では、二つの偏心吸気ポートの両方において、前記平面視において、後端部３１ｄに内面一致部３２を備え、前端部３１ｃと両側の側方部３１ａ、３１ｂに張り出し部３１を備えた構成としたが、二つの偏心吸気ポート間において、内面一致部３２と張り出し部３１の配置を異ならせてもよい。
【００５３】
例えば、図２の上側に示す相対的にスワール流の下流側に位置する一方側の偏心吸気ポートにおいて、前記平面視において、後端部３１ｄに内面一致部３２を備え、前端部３１ｃと両側の側方部３１ａ、３１ｂに張り出し部３１を備えた構成とし、下側に示す相対的にスワール流の上流側に位置する他方側の偏心吸気ポートにおいては、前記平面視において、前端部３１ｃに内面一致部３２を備え、後端部３１ｄと両側の側方部３１ａ、３１ｂに張り出し部３１を備えた構成としてもよい。これらの各例において、両側の側方部３１ａ、３１ｂを内面一致部３２とした変形例も考えられる。
【００５４】
他の実施形態を図５に示す。この実施形態では、シートリング上流部３０の構成は、前述の実施形態と基本的に同様であり、燃焼室３側からのシートリング２０の軸心方向に沿う平面視において、偏心方向線Ｆ１、Ｆ２に沿って後端側に、シートリング２０の内面と面一な内面一致部３２を備える。この実施形態では、図５の後端部３１ｄが内面一致部３２に相当する。
【００５５】
また、シートリング上流部３０のうち他の部分、すなわち、前記平面視において、偏心方向線Ｆ１、Ｆ２に沿って前端側と、その前端側と後端側とを結ぶ両側の側方部３１ａ、３１ｂに、シートリング２０の内面よりも内側に突出する張り出し部３１を備える。この実施形態では、図５の前端部３１ｃと側方部３１ａ、３１ｂが、張り出し部３１に相当する。シートリング上流部３０全体の断面形状は、前端側と後端側とを結ぶ前後方向への最大径が、それに直交する幅方向への最大径よりも大きく設定された、いわゆるオーバル形状となっている点も同様である。
【００５６】
側方部３１ａ、３１ｂは、後端部３１ｄと前端部３１ｃとを結ぶ直線状の内面であるがこの側方部３１ａ、３１ｂを緩やかな円弧状としてもよい。
【００５７】
この実施形態においても、図１を用いて説明したのと同様に、吸気バルブ６の中心ｏ２が、シートリング２０の流路の内面の中心ｏ１を通り燃焼室３を構成するシリンダボアの内周壁３ａの吸気側中心Ｄと排気側中心Ｃとを結ぶ吸排気中心線Ａに平行な吸排気平行線Ｅ１、Ｅ２を挟んで、スワール流の下流側（図中上側に示す一方側）に偏心している点は同様である。
【００５８】
図５に示すように、シートリング２０の外面２３、及び、流路の内面２４は平面視円形である。図５に示す符号ｒ１は、流路の半径を示す。符号ｒ２は、外面２３の半径を示す。ここで、シートリング２０の外面２３の中心線ｐ２に対して、流路の内面２４の中心線ｐ１は、偏心方向線Ｆ１、Ｆ２に沿って後端側へ偏心して配置されている。
【００５９】
吸気バルブ６の中心線は、シートリング２０の外面２３の中心線ｐ２に一致している。このため、吸気バルブ６の中心線ｐ２は、シートリング２０の流路の内面２４の中心線ｐ１に対して、偏心方向線Ｆ１、Ｆ２に沿って前端側、すなわち、排気側へ偏心して配置されていることになる。以下、吸気バルブ６の中心線を、シートリング２０の外面２３の中心線ｐ２と同様に、符号ｐ２で表す。
【００６０】
図５中の符号ｏ１は、シートリング２０の流路の内面２４の中心を示す。また、図中の符号ｏ２は、シートリング２０の外面２３の中心（吸気バルブ６の軸部の中心と一致）を示す。符号ｔ１は、前端側において、シートリング２０の外面２３から、スロート部２２及びバルブ当接部２１を除く部分の流路の内面２４に至る、シートリング２０の半径方向への最大厚部分の肉厚である。符号ｔ２は、後端側において、シートリング２０の外面２３から、スロート部２２及びバルブ当接部２１を除く部分の流路の内面２４に至る、シートリング２０の半径方向への最大厚部分の肉厚である。この肉厚は、ｔ１＞ｔ２の関係になっている。
【００６１】
このように、シートリング２０が、吸気バルブ６が当接するバルブ当接部２１と、そのバルブ当接部２１よりも奥部側にスロート部２２とを備えた吸気ポート構造において、シートリング２０の平面視円形の外面２３の中心線ｐ２、すなわち、吸気バルブ６の中心線ｐ２を、同じく平面視円形の流路の内面２４の中心線ｐ１に対して、シリンダボアの軸心ｘに近い前端側へ偏心して配置したので、スロート部２２は、偏心方向線Ｆ１、Ｆ２に沿って遠い後端側よりも前端側の方が、より奥部側へ深く形成することができる。
【００６２】
図５において、符号Ｌ２１ａは、前端側におけるバルブ当接部２１の深さ（母線方向の長さ。以下同じ。）である。符号Ｌ２１ｂは、後端側におけるバルブ当接部２１の深さである。バルブ当接部２１の深さは、吸気バルブ６との接触圧を全周に亘って均一とするため、この実施形態のように、Ｌ２１ａ＝Ｌ２１ｂの関係となっていることが望ましい。
【００６３】
また、符号Ｌ２２ａは、前端側におけるスロート部２２の深さ（母線方向の長さ。以下同じ。）である。符号Ｌ２２ｂは、後端側におけるスロート部２２の深さである。スロート部２２の深さは、Ｌ２２ａ＞Ｌ２２ｂの関係となっていることが望ましい。
【００６４】
さらに他の実施形態を図６に示す。図６において、シートリング２０の構成は、前述の各実施形態と同様、スロート部２２を、偏心方向線Ｆ１、Ｆ２に沿って遠い後端側よりも前端側の方が、より奥部側へ深く形成している点は同様である。吸気バルブの中心ｏ２が、シートリング２０の内面の中心ｏ１よりも排気ポート側へ偏心し、且つ、シートリング２０の内面の中心ｏ１を通りシリンダボアの内周壁３ａの吸気側中心Ｄと排気側中心Ｃとを結ぶ吸排気中心線Ａに平行な吸排気平行線Ｅ１、Ｅ２を挟んで一方側に偏心することにより、このような形態となっている。
【００６５】
また、シートリング上流部３０のうち、偏心方向線Ｆ１、Ｆ２に沿って後端部３１ｄに内面一致部３２を、前端部３１ｃと側方部３１ａ、３１ｂに張り出し部３１を備える点も、前述の例と同様である。また、後端部３１ｄと前端部３１ｃのそれぞれに、シートリング２０の軸心回りの円弧状部を備える点も同様である。側方部３１ａ、３１ｂは、後端部３１ｄと前端部３１ｃとを結ぶ直線状の内面である点も同様である。
【００６６】
この例では、後端部３１ｄの円弧状部の半径ｒｄを、前端部３１ｃの円弧状部の半径ｒｃよりも大きく設定している。このように、後端部３１ｄ側の半径を相対的に大きくすることが後端側での流量確保に効果的であり、また、前端部３１ｃ側の半径を相対的に小さくすることが前端側での流速確保に効果的である。
【００６７】
このように、前端部３１ｃに張り出し部３１を備える場合において、側方部３１ａ、３１ｂの張り出し部３１におけるシートリング２０の内面からの内側への最大突出長さａ、ｂは、前端部３１ｃの張り出し部３１におけるシートリング２０の内面２４からの内側への最大突出長さｃよりも大きく設定することが望ましい。流速向上のための流路断面積の縮小量は、前端部３１ｃよりも側方部３１ａ、３１ｂで大きく確保することが可能である。この効果は、前述の各実施形態でも同様である。
【００６８】
さらに他の実施形態を、図７（ａ）に示す。図７（ａ）において、シートリング２０の構成は、前述の各実施形態と同様、スロート部２２を、偏心方向線Ｆ１、Ｆ２に沿って後端側よりも前端側の方が、より奥部側へ深く形成している。
【００６９】
この態様では、前記平面視において、後端部３１ｄ側に内面一致部３２を備える。また、前端部３１ｃと両側の側方部３１ａ、３１ｂに張り出し部３１を備える。ただし、側方部３１ａ、３１ｂの張り出し部３１は直線状のものではなく、シートリング２０の内面２４の中心ｏ１よりも前端寄りの部分にのみ、前端部３１ｃの円弧状の張り出し部３１に連続する同じく円弧状の張り出し部３１を設けている。側方部３１ａ、３１ｂの円弧状の張り出し部３１と、前端部３１ｃの円弧状の張り出し部３１とは、同心で同一の半径ｒｃからなる連続する円としているが、これらを互いに半径の異なる円弧としてもよい。また、張り出し部３１の半径ｒｃを、後端部３１ｄ側の円弧状の内面の半径ｒｄよりも小さくして、張り出し部３１の面積を増大させてもよい。
【００７０】
さらに他の実施形態を、図７（ｂ）に示す。この態様では、内面一致部３２は、後端部３１ｄと前端部３１ｃに設けられる。張り出し部３１は、両側の側方部３１ａ、３１ｂに設けられる。この実施形態も、シートリング上流部３０の断面形状は、前端側と後端側とを結ぶ前後方向への最大径が、それに直交する幅方向への最大径よりも大きく設定された、いわゆるオーバル形状である。
【００７１】
これらの実施形態では、自動車用の４サイクルガソリンエンジンを例に、この発明の構成を説明したが、２サイクルガソリンエンジンやディーゼルエンジン、その他各種用途、各種使用のエンジンにおいても、この発明を適用できる。
【符号の説明】
【００７２】
１  シリンダ
２  ピストン
３  燃焼室
４  シリンダヘッド
５  吸気ポート
６  吸気バルブ
７  排気ポート
８  排気バルブ
９  燃料噴射装置
２０  シートリング
２１  バルブ当接部
２２  スロート部
２３  外面
２４  内面
３０  シートリング上流部
３１  張り出し部
３２  内面一致部
【図１】
0006524726.tif 000002
【図２】
0006524726.tif 000003
【図３】
0006524726.tif 000004
【図４】
0006524726.tif 000005
【図５】
0006524726.tif 000006
【図６】
0006524726.tif 000007
【図７】
0006524726.tif 000008
【図８】
0006524726.tif 000009